(57)【要約】【課題】  着用者の首とドライスーツの間や手首とドライスーツの間から水が浸り込むことがなく、着用者は身体を水で濡らすことなく長時間に亘ってサーフィンを行うことができるサーフィン用のドライスーツセットの提供を課題とする。【解決手段】  ６０は、従来の構成と同様のサーフィン用のドライスーツである。着用者の首Ｎのドライスーツ６０の内側に位置する部分には、吸水性を有する吸水バンド１０が首Ｎに密着するように装着されている。また、着用者の首Ｎに位置しているドライスーツ６０の首部６１の端部には、この首部６１が首Ｎに密着するようにスーツ端固定ベルト２０が装着されている。ドライスーツ６０の内側に位置する着用者の左右の手首には吸水バンド３０がそれぞれ装着され、ドライスーツ６０の腕部の先端部にはスーツ端固定ベルト４０が装着されている。【選択図】  図１
0003163330.tif 000002
【実用新案登録請求の範囲】
【請求項１】
サーフィンを行う者の首から上の頭部と左右の手先のみが露出するように構成された防水性素材からなるドライスーツと、
該ドライスーツの内側に位置する着用者の首の部分の周囲に密着するように装着する吸水性素材からなる伸縮性を有する円筒状の吸水バンドと、
前記着用者の首が露出している前記ドライスーツの端部が前記着用者の首の部分に密着するように当該ドライスーツの端部の周囲に巻き付けた状態で固定可能なスーツ端固定ベルトと、
前記ドライスーツの内側に位置する前記着用者の手首の部分の周囲に密着するように装着する吸水性素材からなる伸縮性を有する円筒状の左右１対の吸水バンドと、
前記着用者の手先が露出している前記ドライスーツの端部が当該手先に連なる手首の部分に密着するように当該ドライスーツの端部の周囲に巻き付けた状態で固定可能な左右１対のスーツ端固定ベルトとを具備することを特徴とするサーフィン用のドライスーツセット。
【考案の詳細な説明】
【技術分野】
【０００１】
本考案は、サーフィンをする場合に、サーファーの身体が直接水に触れないようにサーファーが着用するサーフィン用のドライスーツセットに関するものである。
【背景技術】
【０００２】
サーフィンをする場合、特に寒い季節にサーフィンをするときには、サーファーの身体が水に濡れると、サーファーの体温が低下して体力の消耗が激しくなり、運動能力が著しく低下してしまう。このような水に濡れることによる運動能力の低下を防ぐために、寒い季節にサーフィンをするサーファーは、従来から身体が直接水に触れないような所謂ドライスーツを着用してサーフィンを行なっている。
【０００３】
図６は、従来のドライスーツの構成を示した図である。
【０００４】
図６に示したように、ドライスーツ６０は、着用者の首Ｎから上の頭部と左右の手先Ｈのみが露出し、身体の他の部分は全て覆われるように防水性素材により一体的に構成されている。
【０００５】
ここで、ドライスーツ６０の首部６１は、他の部分を構成する防水性素材に比してより密着性の高いソフトラバーによって構成されている。また、ドライスーツ６０の左右の腕部の先端部の内側には、円筒状のソフトラバーによって構成されるインナー部材６２がそれぞれ配設されている。この円筒状のインナー部材６２は、着用者の肘に近い部分の外周部のみがドライスーツ６０の腕部の内側に固定されており、その他の部分はドライスーツ６０の内側には固定されていない構成となっている。
【０００６】
以上のように構成された図６に示した従来のドライスーツ６０の胸部の背中の部分には、その全幅に亘って水平方向に延在するように開閉自在のジッパーが配設されている。
【０００７】
従って、このようなドライスーツ６０を着用する場合には、その使用者は、ドライスーツ６０の背中のジッパーを開いた状態にして、先ず、左右の足を入れ、次に左右の腕部を入れ、そして最後に自らの頭部を首部６１の中に入れて背中のジッパーを閉める。
【０００８】
次に、ドライスーツ６０の着用者は、図７（ａ），（ｂ）に示したように、自分の首Ｎの長さに合わせてドライスーツ６０の首部６１の上端部を内側に折り返す。その後、着用者は、図８（ａ）に示したようにドライスーツ６０の腕部の先端部を外側に折り返して内側のインナー部材６２を露出させ、インナー部材６２の先端の部分を自分の腕の長さに合わせて調整する（図８（ｂ）参照）。そして、最後に図８（ｃ）に示すようにドライスーツ６０の外側に折り返されていた腕部の先端部を元に戻してドライスーツ６０の着用作業を終了する。
【０００９】
以上のように構成された所謂ドライスーツ６０を着用することにより、着用者であるサーファーは身体を濡らさずに、従って体温低下による体力の消耗を来たすことなくサーフィンをすることができる。
【考案の概要】
【考案が解決しようとする課題】
【００１０】
しかしながら、サーフィンを行う場合にはサーファーは水上や水中で身体を動かすことから、従来のドライスーツ６０を着用したときには、サーファーの首Ｎとドライスーツ６０の間や手先Ｈとドライスーツ６０の間から水が少しづつ浸り込むことがあり、長時間サーフィンを行うとサーファーの身体が全身に亘って水に濡れてしまうという問題があった。
【課題を解決するための手段】
【００１１】
以上の問題を解消するために、本考案は、サーフィンを行う者の首から上の頭部と左右の手先のみが露出するように構成された防水性素材からなるドライスーツと、該ドライスーツの内側に位置する着用者の首の部分の周囲に密着するように装着する吸水性素材からなる伸縮性を有する円筒状の吸水バンドと、前記着用者の首が露出している前記ドライスーツの端部が前記着用者の首の部分に密着するように当該ドライスーツの端部の周囲に巻き付けた状態で固定可能なスーツ端固定ベルトと、前記ドライスーツの内側に位置する前記着用者の手首の部分の周囲に密着するように装着する吸水性素材からなる伸縮性を有する円筒状の左右１対の吸水バンドと、前記着用者の手先が露出している前記ドライスーツの端部が当該手先に連なる手首の部分に密着するように当該ドライスーツの端部の周囲に巻き付けた状態で固定可能な左右１対のスーツ端固定ベルトとを具備することを特徴とするものである。
【考案の効果】
【００１２】
本考案によれば、着用者の首とドライスーツの間や手首とドライスーツの間から水が浸り込むことがなく、着用者は身体を水で濡らすことなく長時間に亘ってサーフィンを行うことができる。
【図面の簡単な説明】
【００１３】
【図１】本考案の実施例１の構成を示す斜視図である。
【図２】図１に示した吸水バンドとスーツ端固定ベルトの構成を示す斜視図である。
【図３】図１に示した吸水バンドとスーツ端固定ベルトの構成を示す斜視図である。
【図４】図１に示した実施例１の説明図である。
【図５】図１に示した実施例１の説明図である。
【図６】従来のドライスーツの構成を示す斜視図である。
【図７】従来のドライスーツの説明図である。
【図８】従来のドライスーツの説明図である。
【考案を実施するための形態】
【００１４】
以下、図面を用いて本考案の実施例について説明する。
【実施例１】
【００１５】
図１は、本考案の実施例１に係るドライスーツセットの構成を示した斜視図である。
【００１６】
図１において、６０は従来のドライスーツと同様の構成のドライスーツである。本実施例１に係るドライスーツセットにおいては、このドライスーツ６０の着用者の首Ｎの部分に装着する吸水バンド１０およびスーツ端固定ベルト２０と、左右の手首の部分にそれぞれ装着する吸水バンド３０およびスーツ端固定ベルト４０とが新たに加えられている。
【００１７】
この新たに加えられた吸水バンド１０およびスーツ端固定ベルト２０の構成を図２に示し、吸水バンド３０およびスーツ端固定ベルト４０の構成を図３に示す。
【００１８】
図２（ａ）に示すように、吸水バンド１０は、吸水性素材によって伸縮性を有する円筒状に形成されているものであり、着用者の首の部分の周囲に密着するように構成されているものである。また、スーツ端固定ベルト２０は、図２（ｂ）に示したように帯状のベルト本体２１と、このベルト本体２１を所望の太さの径に巻いた状態で固定することができるように配設されている１対のマジックテープ（登録商標）２２，２３とによって構成されている。
【００１９】
図３（ａ）に示すように、吸水バンド３０は、吸水性素材によって伸縮性を有する円筒状に形成されているものであり、着用者の手首の部分の周囲に密着するように構成されているものである。また、スーツ端固定ベルト４０は、図３（ｂ）に示したように帯状のベルト本体４１と、このベルト本体４１の一端側に配設されたベルト折曲用金具４４と、図３（ｃ）に示したようにベルト折曲用金具４４にベルト本体４１の他端部を通した状態で所望の位置でベルト本体４１を折り曲げて固定することができるように配設されている１対のマジックテープ（登録商標）４２，４３とによって構成されている。
【００２０】
次に、以上のように構成された本実施例１に係るドライスーツセットの着用方法について図を用いて説明する。
【００２１】
先ず、使用者はドライスーツ６０を従来と同様の方法で図４（ａ）に示したように着用する。
【００２２】
次に使用者は、吸水バンド１０の径を広げて、その中に自分の頭部を通し、図４（ｂ）に示したように、吸水バンド１０をドライスーツ６０の首部６１の内側の自分の首Ｎの下方側に密着するように装着する。
【００２３】
さらに使用者は、図４（ｃ）に示したように、従来のドライスーツ６０の着用法と同様に首部６１の先端部を自分の首の長さに合わせて内側に折り込む。そして、図４（ｄ）に示したように、ドライスーツ６０の首部６１の外側の端部付近（端部が１ｃｍ位露出する位置）にスーツ端固定ベルト２０を位置させて、首部６１が自分の首Ｎに確実に密着するようにスーツ端固定ベルト２０の径の大きさを調整して、その端部をマジックテープ（登録商標）２２，２３を用いて固定する。
【００２４】
次に使用者は、以上説明した吸水バンド１０とスーツ端固定ベルト２０とを首Ｎの部分に装着したのと同様の装着方法で、吸水バンド３０とスーツ端固定ベルト４０とを左右の手首に図５に示したように装着する。すなわち使用者は、ドライスーツ６０の腕部の先端部を外側に折り返した状態でインナー部材６２の内側の手首の部分に吸水バンド３０を装着し、自分の腕の長さに合わせてインナー部材６２の先端部を内側に折り返した後、ドライスーツ６０の腕部の先端部を元の状態に戻し、この腕部の先端部付近（先端部が１ｃｍ位露出する位置）にスーツ端固定ベルト４０を装着する。
【００２５】
以上のようにして、本実施例１に係るドライスーツセットを着用した場合には、着用者が水上や水中で運動をしたときでも、ドライスーツ６０の端部はスーツ端部固定ベルト２０，４０によって着用者の身体に密着した状態が保たれるため、ドライスーツ６０の端部と着用者の身体の間から浸り込む水の量は従来に比して著しく減少する。さらに、少量の水が浸り込んだとしても、その水は吸水バンド１０，３０によって吸収されるため、着用者の身体が水に濡れるようなことはない。
【００２６】
なお、本実施例１に係るドライスーツセットの着用者が、サーフィン用のグローブ（手袋）を装着する場合には、図５に示すインナー部材６２の先端部を内側に折り返した後にインナー部材６２の外側に吸水バンド３０を装着し、この段階で、グローブを装着するようにする。そして、ドライスーツ６０の腕部の先端部を元の状態に戻し、この先端部がその内側に位置するグローブに密着するようにこの先端部付近にスーツ端固定ベルト４０を装着すれば、グローブの中の手先Ｈが水に濡れるようなことはない。即ち、吸水バンド３０が、インナー部材６２とグローブとの間に位置するように装着されていれば、この吸水バンド３０によってグローブの中に水が浸り込むことを防ぐことができる。
【符号の説明】
【００２７】
１０，３０  吸水バンド
２０，４０  スーツ端固定ベルト
２１，４１  ベルト本体
２２，２３，４２，４３  マジックテープ（登録商標）
４４  金具
６０  ドライスーツ
６１  首部
６２  インナー部材
Ｈ  手先
Ｎ  首
【図１】
0003163330.tif 000003
【図２】
0003163330.tif 000004
【図３】
0003163330.tif 000005
【図４】
0003163330.tif 000006
【図５】
0003163330.tif 000007
【図６】
0003163330.tif 000008
【図７】
0003163330.tif 000009
【図８】
0003163330.tif 000010